(57)【要約】      （修正有）【課題】自分で簡単に眉を美しい形に整えることのできるツールを提供する。【解決手段】眉毛整形用シール１は、眉部分を覆うのに十分な大きさを有する粘着シール２で構成されている。この粘着シール２には、眉を模した眉形状部３と、それを粘着シール２から切り取るためのつまみ部４が共に切り離し可能に形成されている。また、水平基準線５および垂直基準線６を表示し、この垂直基準線は眉頭位置も示している。更に、上記眉形状部３は、つまみ部４と繋がっており、このつまみ部４には、目印４ａおよび４ｂが表示されている。使用に当たっては、眉形状部３を切り取って、切り取られた型に沿って眉墨等でその型を描く。【選択図】図１
0003152362.tif 000002
【実用新案登録請求の範囲】
【請求項１】
一方の眉部分を覆うのに十分な大きさを有する粘着シールの中央部分に、切り取り可能に眉形状部を設けたことを特徴とする眉毛整形用シール。
【請求項２】
眉形状部に眉を模した毛流が表示されていることを特徴とする請求項１記載の眉毛整形用シール。
【請求項３】
眉形状部が、粘着シールから切り取るためのつまみ部を有するものである請求項１または２記載の眉毛整形用シール。
【請求項４】
つまみ部が、つまみ部裏の粘着面同士を重ね合わせられるように形成されたものである請求項３記載の眉毛整形用シール。
【請求項５】
粘着シールの眉形状部以外の部分が、半透明肌色に着色されたものである請求項１ないし４の何れかに記載の眉毛整形用シール。
【請求項６】
右眉用と左眉用の２枚で１セットである請求項１ないし５の何れかに記載の眉毛整形用シール。
【請求項７】
粘着シール上に、水平基準線および／または垂直基準線を表示したものである請求項１ないし６の何れかに記載の眉毛整形用シール。
【請求項８】
眉形状部の周囲がマンセル表色系で色相（Ｈ）５ＲＰ〜２.５Ｙ、明度（Ｖ）６以下、彩度（Ｃ）３以上の範囲の色で着色されたものである請求項１ないし７の何れかに記載の眉毛整形用シール。
【請求項９】
請求項１ないし８の何れかに記載の眉毛整形用シールを台紙に貼付してなるシート状媒体。
【請求項１０】
更に、眉毛整形用シールの使用説明と組み合わせた請求項９記載のシート状媒体。
【考案の詳細な説明】
【技術分野】
【０００１】
本考案は、眉を美しい形に整形するための眉毛整形用シールおよびこれを貼付したシート状媒体に関する。
【背景技術】
【０００２】
眉は、その形や描き方次第で、顔全体の印象が大きく変わり、その人のイメージさえも左右してしまうほど、メイクの決め手となる重要なパーツである。
【０００３】
そのため、従来より、眉を美しく描くことを補助するための、いわゆる眉テンプレート等と呼ばれるツールが種々開発されている（特許文献１〜８）。しかし、眉をより美しくするためには、単に眉を描くのみならず、眉そのものの形を整えることが必要となる。
【０００４】
従来より、眉の形を整えるために、「眉ぞり」や「眉カット」等が行われている。しかし、これらを自分で行うことは、難しいとされている。すなわち、上記「眉ぞり」や「眉カット」を行うには、鏡を見ながら左右のバランスを取りつつ、専用の櫛やハサミ等を使って行う必要があり、熟練や器用さが求められるからである。
【０００５】
また、「眉ぞり」や「眉カット」は、カミソリやハサミ等の刃物を顔に向けて行う行為であるため、理容師等の有資格者以外が他人に行うことは法律上禁止されているため、眉墨等を販売している化粧品販売員がサービスの一環として顧客に対し店頭で行うこともできない。
【０００６】
そこで、このような眉の形を整えるために、そのための補助具や指南テキストが既に開発されている（特許文献９〜１０）。しかし、これらの補助具を利用する場合であっても、片手で補助具を眉にあてがい、もう一方の手でカミソリやハサミ等の刃物を使用することが必要であり、作業が難しいという点では変わりがない。また、指南テキストは、眉の形の整え方が記載されているだけであり、これに沿って行ったからといって眉の整形が易しくなると言うものではなく、実際にこの指南にそって眉を整えるのは難しいものであった。
【先行技術文献】
【特許文献】
【０００７】
【特許文献１】特開２００２−１０８３０号公報
【特許文献２】特開２００２−２９１５３０号公報
【特許文献３】実用新案登録第３１１２９８１号公報
【特許文献４】実用新案登録第３０３２０３８号公報
【特許文献５】実用新案登録第３０４４１７５号公報
【特許文献６】実用新案登録第３０８１０７０号公報
【特許文献７】実用新案登録第３０２８４６３号公報
【特許文献８】特開平９−１００３４号公報
【特許文献９】特開２００４−２３６９６９号公報
【特許文献１０】特開２００５−３１９１０９号公報
【考案の概要】
【考案が解決しようとする課題】
【０００８】
従って、本考案は、自分で簡単に眉を美しい形に整えることのできるツールを提供することをその課題とするものである。
【課題を解決するための手段】
【０００９】
本考案者は、上記課題を解決するために鋭意研究を行った結果、眉部分を覆うのに十分な大きさの粘着シールの中央部分に、眉形状部を設け、この眉毛形状を整形前の眉に合わせて貼付すれば、整形する前に整形後の眉の形状と位置を確認することができることを見出した。
【００１０】
また、前記確認の後に、眉形状部を切り取ることができれば、眉毛整形用シールが眉の形の抜き型となり、その抜き型にそって眉墨等で眉の輪郭をきれいに描けることを見出した。
【００１１】
そして、眉の輪郭を描いた後に、眉毛整形用シール全体を剥がしてこの輪郭からはみ出た眉毛をハサミ、毛抜き等で整形することにより、自分で簡単に眉を美しく整えることができることを見出し、本考案を完成させた。
【００１２】
すなわち、本考案は一方の眉部分を覆うのに十分な大きさを有する粘着シールの中央部分に、切り取り可能に眉形状部を設けたことを特徴とする眉毛整形用シールである。
【００１３】
また、本考案は上記眉毛整形用シールを剥離可能な台紙上に貼付してなるシート状媒体である。
【考案の効果】
【００１４】
本考案の眉毛整形用シールは、粘着性シールで形成されているため、眉部分に貼付可能であり、更に眉形状部を切り取ることにより眉の形の抜き型とすることができるものである。そして、このものは粘着可能なシールタイプのものなので、眉の整形時に、手で押さえたり、持ったりする必要が無く、作業の途中でずれたりせず、目指す眉の形が簡単に描けるものである。
【００１５】
また、本考案の眉毛整形用シールを肌色半透明とし、更にその眉形状部に眉を模した自然な毛流を描いたものは、これにより眉の形が自分に似合っているかどうかをイメージしやすいものである。
【００１６】
更に、左眉用と右眉用の本考案の眉毛整形用シールを組み合わせ、シート状媒体として提供すれば、ユーザーの眉毛の位置に合わせてそれぞれ使用可能であり、種々の眉毛形状の左眉用および右眉用の眉毛整形用シールを複数組み合わせ、シート状媒体として提供すれば、眉をユーザーの好みに合わせて整形することが可能である。更にまた、眉毛整形用シール上に位置合わせの目安となる水平や垂直の基準線等を表示すれば、これを眉毛部分に貼付する際に、左右のバランスが取れているかどうかが確認しやすくなる。また、左右のシールを一体化させていないため、眉間の幅や眉の上昇度もユーザーの顔に合わせて調節が可能である。
【００１７】
また更に、本考案の眉毛整形用シールとこれの使用説明や美眉の描き方を組み合わせることにより、自分の眉に応じた描き方やアレンジの仕方が容易に理解できる。
【図面の簡単な説明】
【００１８】
【図１】本考案の一実施態様である眉毛整形用シールを示す平面図である。
【図２】左右の眉について、複数の形状の眉毛整形用シールを用いたシート状媒体の一実施態様を示す平面図である。
【図３】本考案の眉毛整形用シールを眉部分に貼付するための準備作業を示す図面である。
【図４】本考案の眉毛整形用シールを眉部分に貼付する状態を示す図面である。
【図５】本考案の眉毛整形用シールから、眉形状部を剥離する状態を示す図面である。
【図６】眉形状部が取り去られた眉毛整形用シールを抜き型とし、これにそって眉の輪郭を描く状態を示す図面である。
【図７】本考案の眉毛整形用シールを眉部分から取り去り、描画した眉の輪郭に沿って眉を整形する状態を示す図面である。
【考案を実施するための形態】
【００１９】
以下、本考案の一実施態様を示す図面と共に、本考案の説明を続ける。
【００２０】
図１は、本考案の一実施態様である眉毛整形用シールを示す平面図である。図中、１は眉毛整形用シール、２は粘着シール、３は眉形状部、４はつまみ部、５は水平基準線、６は垂直基準線をそれぞれ示し、Ａは粘着シール２の切り離し線を、Ｂは眉形状部３およびつまみ部４の切り離し線を示す。
【００２１】
この眉毛整形用シール１は、右眉用であり、この右側の眉部分を覆うのに十分な大きさを有する粘着シール２で構成されている。この粘着シール２には、眉を模した眉形状部３と、それを粘着シール２から切り取るためのつまみ部４が共に切り離し可能に形成されている。また、本態様では、水平基準線５および垂直基準線６が表示されている。なお、この垂直基準線は眉頭位置も示している。更に、上記眉形状部３は、つまみ部４と繋がっており、このつまみ部４には、目印４ａおよび４ｂが表示されている。
【００２２】
上記の粘着シール２は、通常、易剥離性の台紙上に、高分子フィルムに粘着剤を展着させた粘着シートを貼り合わせることにより形成されたもので、柔軟性のあるものである。この粘着シートに用いる高分子フィルムとしては、特に制約されないが、例えば、透明ＰＥＴフィルム等が好ましい。また、この粘着シートに用いる粘着剤としては、特に制約されないが、例えば、アクリルエマルジョン粘着剤等が好ましい。
【００２３】
また、この粘着シール２の眉部分を覆うのに十分な大きさとは、眉を中心に、その周囲に貼付した後、眉形状部３等を切り離しても眉周囲に安定に接着している程度の大きさであれば特に制約されず、例えば、まぶた側は眉の周縁から少なくとも５〜１０ｍｍ程度、額側は１０〜２０ｍｍ程度の幅を有する大きさであることが好ましい。形状も眉部分を覆うのに適した形状であれば特に制約されず、例えば、長方形、楕円等でも構わないが、眉の形状に沿って片側が緩やかな凸部を形成し、反対側が凹部を形成している、そらまめ様の形状のものが好ましい。また、このものの厚みは、眉形状部３を切り離した後に、その抜き型に沿って眉墨やアイブロウペンシルでその型を描ける程度の厚み、例えば、５０μ以上程度の厚みがあることが好ましい。なお、この粘着シール２は、それより大きなシールや台紙から、切り離し線Ａにより切り離されるように構成されたものであっても、また、既に台紙と共に切り離し線Ａで切り離されたものであっても良い。
【００２４】
更に、より大きな粘着シートから、粘着シール２を切り離し、使用する場合には、粘着シール２を切り離すための切り離し線Ａと、粘着シール２から眉形状部３を切り離すための切り離し線Ｂが設けられることになるが、この場合には、台紙から粘着シール２を切り離す際に眉形状部３が残存することなく粘着シール２と一緒に剥がれるよう、切り離し線Ｂは、切り離し線Ａよりも切り込みを浅くすることが好ましい。
【００２５】
一方、上記粘着シール２上に表示される眉形状部３は、眉毛整形用シール１から切り離し線Ｂにより、つまみ部４と共に切り離せるようになっている。この眉形状部３は、眉の形状が記載されていることが好ましく、更に、眉を模した毛流が表示されていることが好ましく、特に眉を模した毛流がイラストで描かれているものや植毛で表現されたもの等が、より仕上がりの状態をイメージでき好ましい。
【００２６】
また、眉形状部３と繋がっているつまみ部４は、眉形状部３を剥がし易くするためのつまみを形成するものである。このつまみ部４の位置は、特に制限されないが、眉形状部３を剥がす際に、毛流に沿って剥がすことが好ましいため、眉形状部３の眉頭に近い方にあることが好ましく、更に眉形状部３の上側にあることが好ましい。つまみ部４が眉形状部３の下側にあるとアイホールのくぼみがあり、また、視線を遮り、つまみにくい。
【００２７】
上記のつまみ部４は、つまみ部裏の粘着面同士が重ね合わせられるように形成されていると、粘着剤面同士で接着し、眉形状部３を剥がすときに他の皮膚部分に付着することがなく好ましい。このような粘着シールの粘着面同士が重ね合わせられるような形状とするためには、例えば、図１で４ａおよび４ｂとして示されるような重ね合わせのための目印（この場合は星形）を描いておくことが好ましい。また、これらの目印の間には折りやすくするために小さな切れ込み４ｃを入れておくことがより好ましい。この目印４ａ、４ｂと切れ込み４ｃにより、粘着シールの粘着面同士が重ね合わせやすくなり、その結果、つまみ部４も引っ張りやすくなり、眉形状部３を粘着シール２から切り取りやすくなる。
【００２８】
本考案において、粘着シール２には、前記したように、眉形状部３に眉形状が記載されていることが好ましいが、それ以外の部分は、無色透明であっても、不透明になってしまわない程度に有色であっても良い。しかしながら、粘着シール２の眉形状部３以外の部分（肌部分）は、無色透明であるより肌色に着色されたものが好ましく、特に薄い乳白色を下地に入れ、肌色に着色された半透明肌色であることが好ましい。肌部分がこのように着色されることにより眉毛整形用シール１の貼付対象である下地の眉が太い場合、眉の手入れをしたことが無い場合や、眉の手入れを久しぶりにする場合であっても肌部分にはみ出した眉を自然に覆い隠すことができる。また、メイクを施した上からシールを貼付した場合、シールを剥がした際にシールへファンデーション等が付着することによる汚れやメイクの剥がれを目立たせない効果もある。
【００２９】
また、眉形状部３の周囲（眉形状部３と肌部分の境界部）は、肌部分の色と別の色で着色されていることが好ましい。この着色は、肌の色と同色相で、眉を描く際に鏡から少し離れてみても着色部が特に主張することなく馴染み、実際に描こうと近くで見るときにはよく見える色であることが好ましい。また、この着色は、眉形状部３を切り取った後も眉毛整形用シール１に残り、抜き型の形状がはっきりと分かるようにされていることが好ましく、特に眉形状部３を切り取るための切り離し線Ｂよりも外側（肌部分側）にフレームとして施されていることが好ましい。
【００３０】
例えば、日本人用の眉毛整形用シール１を作製する場合には、この境界部の着色は、日本人の肌の色（マンセル表色系で色相（Ｈ）１０Ｒ〜７.５ＹＲ、明度（Ｖ）５.５〜７.０および彩度（Ｃ）３〜５）を考慮し、赤から黄色の暖色系の色味が好ましい。マンセル表色系では、色相（Ｈ）５ＲＰ〜２.５Ｙ、明度（Ｖ）６以下、彩度（Ｃ）３以上の範囲の色で着色されたものが好ましく、色相（Ｈ）に関しては５Ｒ〜１０ＹＲの範囲がより好ましく、特に色相１０Ｒ、明度４.５、彩度１２の赤橙色で着色されたものが好ましい。なお、この着色において、赤の濃い色の場合には鏡から離れても目立ち過ぎ、黄色の薄い色の場合には肌に馴染みすぎて目立たず描きにくくなる。
【００３１】
更に、本考案において、粘着シール２には、水平基準線５および／または垂直基準線６を表示することが好ましい。このうち、水平基準線５は、左右２つの眉のバランスを決めるためのものであり、例えば、眉形状部３の最上部で接することが好ましい。また、垂直基準線６は、眉頭の位置を決めるためのものであり、例えば、眉形状部３の眉頭で接することが好ましい。更に、これらの基準線は複数あってもよい。また更に、これらの基準線は眉形状部３の周囲の着色と同様に日本人の肌色を考慮し、赤から黄色の暖色系の色味が好ましい。マンセル表色系では、色相（Ｈ）５ＲＰ〜２.５Ｙ、明度（Ｖ）６以下、彩度（Ｃ）３以上の範囲の色で着色されたものが好ましく、色相（Ｈ）に関しては５Ｒ〜１０ＹＲの範囲がより好ましく、特に色相１０Ｒ、明度４.５、彩度１２の赤橙色で着色されたものが好ましい。
【００３２】
上記した眉毛整形用シール１は、右眉用と左眉用の２枚を１セットとして眉毛整形用シールセットとし、これをシリコーン処理紙等の剥離可能な台紙上に貼付しシート状媒体等とすることが好ましい。また、剥離可能な台紙上に、左右の眉について複数の異なる眉のサイズ、形状、色、濃さ、描き方の眉毛整形用シールセットを組み合わせて貼付しシート状媒体等することも好ましい。こうすることにより、多様な印象の眉毛整形用シールを作成でき、使用者個々に似合う眉、ＴＰＯに合わせた印象の眉、男性用の眉等、選択の幅が広がり、好みの眉毛の形への整形、似合うアイブロウペンシル（眉墨）、眉マスカラの色選び等が容易になる。このようなシート状媒体の一実施態様を図２に示した。図中、７は左右の眉について、複数のサイズの眉毛整形用シールを用いたシート状媒体を示す。
【００３３】
また、更に、上記した眉毛整形用シール１を用いたシート状媒体には、更に眉毛整形用シール１の使用説明や、これを用いた眉の描き方を記載した小冊子と組み合わせ、美眉作り用テキストとしても良く、そうすることで眉形状の整形をより簡単に行うことができる。
【００３４】
次に、本考案の一実施態様である眉毛整形用シール１を使用して眉を整える方法について説明する。なお、以下の説明で用いる図面においては、説明を簡素化するために正確な形状が記載されていない場合がある。
【００３５】
（１）本考案の眉毛整形用シールを使用するには、まず、図３に示すように、つまみ部４のみを剥がし、これを４ａおよび４ｂの２つの目印で貼り合わせるよう折りたたみ、つまみをつくる。このつまみにより、あとで粘着シール２から、眉形状部３が剥がしやすくなる。
【００３６】
（２）次に、眉毛整形用シール１を、図４に示すように、眉形状部３が眉上に来るよう貼付する。この際、眉頭の位置を決めるための垂直基準線６は眉頭が目頭の上になるように（眉頭が目頭の位置と垂直方向でほぼ一致するように）し、左右２つの眉のバランスを決めるための水平基準線５は、ほぼ水平となるようにする。なお、眉尻の位置は、上唇中央と目尻を結んだ延長線上にすることが好ましく、またサイズが合わない場合は違う形を試してみることが必要である。なお、右眉用と左眉用の眉毛整形用シール１は、左右対称となるように貼る。眉カットや眉ぞりの範囲は最小限にとどめ、自眉を生かすために、できるだけ自眉に重ねるように貼付することが好ましい。
【００３７】
（３）上記のように貼付した眉毛整形用シール１は、眉形状部３以外の部分を押さえ、図５に示すように、前記（１）でつくったつまみを持ちゆっくり眉形状部３を剥がす。
【００３８】
（４）更に、図６に示すように、眉形状部３を剥がした眉毛整形用シール１の眉形状部３跡を抜き型とし、これにそって、アイブロウペンシル等で眉の輪郭を描く。その後、次に眉毛整形用シール１を剥がし、描いた眉の形を確認する。
【００３９】
（５）最後に、描いた輪郭からはみ出した不要な眉毛を除去し、眉を整形する。この眉毛の除去は、図７のように眉カットバサミでカットしても良く、また毛抜きで抜いても、カミソリ等で剃っても良い。不要な眉毛の除去に、眉カットバサミを用いる場合には、肌にそわせて根元からカットすれば良い。また、毛抜きを使用する場合には、毛抜きで眉毛の根元をはさみ、毛流の方向に沿って引き抜けば良い。この引き抜きの際には、逆の手で皮膚を軽く引き上げると、スムーズに抜くことができる。
【００４０】
このようにして、描いた輪郭からはみ出した不要な眉毛を除去し、眉毛の形をほぼ整えた後、更に、例えば、眉コームで眉弓カーブ部分を下向きにとかし、美眉の輪郭からはみ出す長い眉毛をカットし、仕上げにスクリューブラシで眉全体をブラッシングして、輪郭をぼかしたり、毛流を整えたりすればよい。
【００４１】
なお、上記した眉毛整形用シールの別の態様としては、シールの粘着剤として肌や眉に複数回貼付することのできるものを用いて繰り返し使用できるようにしたものや、シールの両面に粘着剤を塗布することにより、左用と右用を兼用できるようにしたものも挙げられる。更に、上記した眉毛整形用シールの別の態様としては、切り取り可能な眉形状部を、眉毛整形用シールから完全には切り取らなくても、その一部をめくることにより眉の形の抜き型となるように形成されたものも挙げられる。
【産業上の利用可能性】
【００４２】
以上説明した本考案の眉毛整形用シールは、自分で眉を美しい形に整えることができるので、化粧の際に有効なものである。
【００４３】
また、本考案の眉毛整形用シールおよびこれを添付したシート状紙媒体は、これを眉毛整形用の化粧品関連雑貨、小道具として、或いは、雑誌の付録や、眉墨等の化粧品販売時に店頭で顧客に配布する販売促進用品等として利用することができるものである。
【符号の説明】
【００４４】
１…眉毛整形用シール
２…粘着シール
３…眉形状部
４…つまみ部
４ａ…目印
４ｂ…目印
４ｃ…切れ込み
５…水平基準線
６…垂直基準線
７…左右の眉について、複数のサイズの眉毛整形用シールを用いたシート状媒体
Ａ…切り離し線
Ｂ…切り離し線
以    上
【図１】
0003152362.tif 000003
【図２】
0003152362.tif 000004
【図３】
0003152362.tif 000005
【図４】
0003152362.tif 000006
【図５】
0003152362.tif 000007
【図６】
0003152362.tif 000008
【図７】
0003152362.tif 000009